(57)【要約】      （修正有）【課題】設置及び撤去が容易な便器ユニット及び仮設トイレを提供する。【解決手段】組み立て式仮設トイレユニット１は、台座部２と、床板部３と、便器４４が設けられた支持板４と、踏み台部５と、持ち手９が取り付けられた周壁部６と、扉７及び扉７のラッチ部８と、天井部１０とを備える。台座部２は、その内部に便槽１３を備える。台座部２と床板部３と便器４４が設けられた支持板４は、便器ユニットを構成する。台座部２は、設置面上に置かれ、台座部２の上には床板部３が着脱可能に載置される。床板部３の上には便座が設けられた支持板４が着脱可能に載置される。周壁部６は、ラッチ部８を嵌め込んだ扉７が組み付けられると共に、床板部３の上に着脱可能に載置される。周壁部６の上には天井部１０が着脱可能に載置される。踏み台部５は、扉７の下に設置される。【選択図】図１
0003183434.tif 000002
【実用新案登録請求の範囲】
【請求項１】
内部に便槽を有する台座部と、
前記便槽につながる連通孔が形成された床板部と、
便器が設けられた支持板と
を備え、
前記台座部の上面に、前記床板部が着脱可能に載置される床板部用載置面が設けられ、前記床板部に、前記支持板が着脱可能に載置される支持板用載置面が設けられている着脱式便器ユニット。
【請求項２】
前記連通孔は、前記床板部の奥行方向における手前側に偏心して形成されていることを特徴とする請求項１に記載の着脱式便器ユニット。
【請求項３】
前記便器は、前記支持板の奥行方向における奥側に偏心して配置され、前記支持板が前記床板部に載置された状態において、前記便器が前記奥行方向の中央に配されるように構成されていることを特徴とする請求項１又は請求項２に記載の着脱式便器ユニット。
【請求項４】
内部が中空に形成されている踏み台部をさらに備え、
前記踏み台部は、前記便器を使用しないときに、前記内部に前記便器を配した状態で前記支持板に着脱可能に載置されるように構成されていることを特徴とする請求項１から請求項３のいずれか１項に記載の着脱式便器ユニット。
【請求項５】
前記台座部と前記床板部は、平面視して矩形状に形成されており、前記連通孔は、前記床板部の長さ方向に偏心して形成されていることを特徴とする請求項１から請求項４のいずれか１項に記載の着脱式便器ユニット。
【請求項６】
前記支持板用載置面は、前記連通孔の縁部の全周にわたって設けられ、前記支持板は、前記支持板用載置面の上に、該支持板用載置面に当接して載置されるように構成されていることを特徴とする請求項１から請求項５のいずれか１項に記載の着脱式便器ユニット。
【請求項７】
前記床板部の周縁部には、仮設トイレ用の周壁部が組み付けられる段差が設けられ、該段差は、前記床板部の内側に高く外側に低い段差であることを特徴とする請求項１から請求項６のいずれか１項に記載の着脱式便器ユニット。
【請求項８】
前記台座部は、平面視して矩形状に形成され、前記台座部を構成する側壁のうち、長辺側の側壁の下方縁部に凹部が形成されていることを特徴とする請求項１から請求項７のいずれか１項に記載の着脱式便器ユニット。
【請求項９】
前記台座部は、該台座部を構成する側壁の下方縁部の全周に亘って設けられたフランジ部を備えることを特徴とする請求項１から請求項８のいずれか１項に記載の着脱式便器ユニット。
【請求項１０】
請求項１から請求項９のいずれか１項に記載の着脱式便器ユニットと、
前記床板部の上に着脱可能に載置される折り畳み可能な周壁部と、
前記周壁部の上方に着脱可能に配置される天井部と
を備える組み立て式仮設トイレ。
【考案の詳細な説明】
【技術分野】
【０００１】
本考案は、着脱式便器ユニット及び組み立て式仮設トイレに関し、特に、排泄物を収容する便槽を備えた着脱式便器ユニット及び組み立て式仮設トイレに関する。
【背景技術】
【０００２】
従来から、工事現場や野外イベント会場、災害発生時の避難所等において用いられる仮設トイレが知られている（例えば、特許文献１）。特許文献１には、便槽を内蔵し、建屋と一体的に組み込まれている車載移動式木造建屋一体型仮設簡易水洗トイレが記載されている。特許文献１の仮設トイレでは、便槽を地面に埋設する方式に代えて、便槽を内蔵した構成を採用している。特許文献１の仮設トイレは、車によって運搬され、現地では仮設用ブロックなどの上に降ろされて、土台を仮固定することによって設置されるものである。
【先行技術文献】
【特許文献】
【０００３】
【特許文献１】特開２００７−４００７１号公報
【考案の概要】
【考案が解決しようとする課題】
【０００４】
しかしながら、前述した仮設トイレは、完成した建屋ごと移動することが前提となっており、占有する体積が大きいため、移動及び収容が容易ではない。例えば災害時に使用される仮設トイレは、避難所となる可能性のある公共施設等に予め収容して保管しておくことが望ましい。したがって、仮設トイレを分解して収容しておくことが考えられる。災害時では特に、インフラ破壊によって通常のトイレが使用できなくなるため、多数の仮設トイレが緊急に必要となる。仮設トイレが分解して収容されている場合には、避難者等の一般利用者が自分たちで仮設トイレを組み立てて設置しなければならない状況も想定される。また、仮設トイレの使用後は、次の利用に備えて仮設トイレを撤去し、再び収容しておくケースも想定される。したがって、設置及び撤去が容易な仮設トイレが求められている。
【０００５】
上記に鑑みて本考案の目的は、設置及び撤去が容易な便器ユニット及び仮設トイレを提供することである。
【課題を解決するための手段】
【０００６】
上記目的を達成するために、本考案に係る着脱式便器ユニットは、内部に便槽を有する台座部と、便槽につながる連通孔が形成された床板部と、便器が設けられた支持板とを備え、台座部の上面に、床板部が着脱可能に載置される床板部用載置面が設けられ、床板部に、支持板が着脱可能に載置される支持板用載置面が設けられている。
【０００７】
したがって、本考案に係る着脱式便器ユニットは、設置及び撤去を容易に行うことができる。
【０００８】
本明細書及び実用新案登録請求の範囲の記載において「着脱可能」とは、固定具を別途用いることなく、取り付け及び取り外しが可能であることをいう。固定具とは、例えば、締結具、接着剤等の接着具、固定用工具等を含む。
【０００９】
連通孔は、床板部の奥行方向における手前側に偏心して形成されていてもよい。これにより、支持板を床板部に載置して便器を床板部の上に取り付ける際に、支持板付き便器の移動距離を短くすることができる。したがって、特に支持板付き便器の重量が重い場合に、組み付け作業の負担が軽減される。
【００１０】
例えば、便器は、支持板の奥行方向における奥側に偏心して配置され、支持板が床板部に載置された状態において、便器が奥行方向の中央に配されるように構成されていてもよい。この場合、便器が奥行方向の中央に配されることにより、便器を使用し易くなる。
【００１１】
一例として、内部が中空に形成されている踏み台部をさらに備え、踏み台部は、便器を使用しないときに、内部に便器を配した状態で支持板に着脱可能に載置されるように構成されている。これにより、便器を使用しない時に、踏み台部を便器に被せておくことによって便器を保護することができる。
【００１２】
例えば、台座部と床板部は、平面視して矩形状に形成されており、連通孔は、床板部の長さ方向に偏心して形成されている。これにより、使用者の足場を広く確保することができる。
【００１３】
支持板用載置面は、連通孔の縁部の全周にわたって設けられ、支持板は、支持板用載置面の上に、該支持板用載置面に当接して載置されるようにされている。これにより、支持板を確実に支持すると共に、排泄物の臭気漏れを防止することができる。
【００１４】
床板部の周縁部には、仮設トイレ用の周壁部が組み付けられる段差が設けられ、該段差は、床板部の内側に高く外側に低い段差であるように構成してもよい。この場合、仮設トイレ用の周壁部を床板部の上に組み付けることが可能である。また、周壁部が内側に折り畳まれる折り畳み式である場合、使用時において、何らかの衝撃によって周壁部が内側に折り畳まれてしまうというアクシデントを、床板部に設けた段差によって防止することができる。
【００１５】
台座部は、平面視して矩形状に形成され、台座部を構成する側壁のうち、長辺側の側壁の下方縁部に凹部が形成されている。この凹部を把手として使用したり、移動装置の挿入具の挿入口として使用したりすることができる。例えば、台座部の短辺側の側壁が隣合うように、フォークリフトで複数の台座部を並置する場合、上記凹部は露出した長辺側の側壁に形成されているため、フォーク爪を上記凹部に挿入して、複数の台座部を効率良く設置又は撤去することができる。
【００１６】
一例として、台座部は、該台座部を構成する側壁の下方縁部の全周に亘って設けられたフランジ部を備えるものである。これにより、フランジ部によって便器ユニットの荷重を支えることができるため、便器ユニットを設置したときの安定性が向上する。
【００１７】
例えば、本考案に係る組み立て式仮設トイレは、前述の着脱式便器ユニットと、床板部の上に着脱可能に載置される折り畳み可能な周壁部と、周壁部の上方に着脱可能に配置される天井部とを備える。したがって、本考案に係る組み立て式仮設トイレは、設置及び撤去を容易に行うことができる。
【考案の効果】
【００１８】
本考案によれば、設置及び撤去が容易な便器ユニット及び仮設トイレを提供することができる。
【図面の簡単な説明】
【００１９】
【図１】本実施形態に係る組み立て式仮設トイレユニット１の分解斜視図である。
【図２】図１に示す仮設トイレユニット１を組み立てた状態を示す斜視図である。
【図３】図１に示す仮設トイレユニット１を組み立てていない状態を示す斜視図である。
【図４】図１に示す仮設トイレユニット１の天井部１０、床板部３及び台座部２の斜視図である。
【図５】図４に示す台座部２の側面図である。
【図６】図５に示す台座部２のＡ−Ａ線断面図である。
【図７】図４に示す天井部１０のＢ−Ｂ線断面図である。
【図８】図４に示す天井部１０、床板部３及び台座部２を組み合わせた状態を示す側面図である。
【図９】図４に示す床板部３の平面図である。
【図１０】図１に示す支持板４付き便器４４の平面図である。
【図１１】図１に示す周壁部６に設けられたヒンジ部６ａ，６ｂを示す斜視図である。
【考案を実施するための形態】
【００２０】
以下、本考案の実施の形態を添付の図により説明する。図１に本実施形態に係る組み立て式仮設トイレユニット１の分解斜視図を示す。図２に図１に示す組み立て式仮設トイレユニット１を組み立てた状態を示し、図３に図１に示す組み立て式仮設トイレユニット１を組み立てていない状態を示す。
【００２１】
図１に示すように、組み立て式仮設トイレユニット１は、台座部２と、床板部３と、便器４４が設けられた支持板４と、踏み台部５と、持ち手９が取り付けられた周壁部６と、扉７及び扉７のラッチ部８と、天井部１０とを備えている。台座部２は、その内部に便槽１３を備えるものである。台座部２と床板部３と便器４４が設けられた支持板４は、便器ユニットを構成するものである。
【００２２】
図２に示すように、組み立て式仮設トイレユニット１は、図１に示す各構成部材を組み立てることによって仮設トイレとして設置される。台座部２は、設置面上に置かれ、台座部２の上には床板部３が着脱可能に載置される。床板部３の上には便座が設けられた支持板４が着脱可能に載置される。周壁部６は、ラッチ部８を嵌め込んだ扉７が組み付けられると共に、床板部３の上に着脱可能に載置される。周壁部６の上には天井部１０が着脱可能に載置される。踏み台部５は、扉７の下に設置される。
【００２３】
また、仮設トイレを使用しないときには、組み立て式仮設トイレユニット１を分解した状態で保管しておくことができる。図３には、一例として、２個の組み立て式仮設トイレユニット１を分解して収容している状態を示している。
【００２４】
台座部２、床板部３及び天井部１０の分解斜視図を図４に示す。台座部２は、略直方体形状を有し、台座部２の上面には、便槽１３に排泄物を受け入れるための開口が形成されている。台座部２の側面図を図５に示し、Ａ−Ａ線断面図を図６に示す。
【００２５】
台座部２は、その側面を構成し、内部の便槽を外部から保護する側壁部１２を備えている。側壁部１２の内側には便槽底板１７を備え、この便槽底板１７の上面が便槽１３の底を構成している。便槽底板１７は、台座部２の下方縁部１５よりも高い位置にあり、台座部２を設置面に設置したとき、便槽底板１７と設置面の間には空間が形成される。便槽底板１７は、排泄物が便槽１３の中心部に集まりやすいように、台座部２の外側から内側に向かって緩やかに傾斜し、底板中央部１７ａは底板周縁部１７ｂよりも高さ位置が低い。本実施形態における便槽底板１７は、排泄物の重みによって形状が若干変形し得る可撓性を有している。
【００２６】
台座部２の上面２ａに形成された開口の縁部１９には全周に亘って上方に突出する床板部係合用凸部１６が設けられている。台座部２の上に載置された床板部３に、床板部係合用凸部１６が嵌め込まれるように構成されている。上面２ａは、台座部２の全周に亘って矩形環状に延ばされた平坦面として構成されており、床板部３の裏面周縁部３７（後述の図８）が着脱可能に載置される床板部用載置面として機能する。
【００２７】
台座部２の側壁部１２には、その下方縁部１５に凹部１４が形成されている。本実施形態においては、長さ方向に延びる対向する一組の側壁部１２の下方縁部１５に凹部１４が設けられている。第１の凹部１４ａと第２の凹部１４ｂの位置関係を図６に仮想的に示す。対向する上記側壁部１２において、一方の側壁部１２の２か所に設けられた第１の凹部１４ａに対して、他方の側壁の２か所に設けられた第２の凹部１４ｂは、それぞれ、第１の凹部１４ａと対向する位置に形成されている。
【００２８】
図４に示す天井部１０は、仮設トイレユニット１を組み立てる際に、周壁部６の上に載置してトイレ個室の天井を構成するものである。また、仮設トイレユニット１を分解して収容等しておく際に、台座部２の底面側に設置可能なものである。天井部１０のＢ−Ｂ線断面図を図７に示す。
【００２９】
天井部１０は、矩形の天井板部２０と、天井板部２０の表面から厚さ方向に突出する上面凸部２１と、上面凸部２１から厚さ方向に突出する突起部２２を備えている。天井板部２０の裏面には、周壁部６の上端６８（図１）を嵌め込むための周壁部係合用凹部２０ａが形成されている。なお、周壁部係合用凹部２０ａには、床板部３を嵌め込むことも可能である。上面凸部２１は、段差２１ａを伴って、天井板部２０の上面を覆うように設けられている。
【００３０】
上面凸部２１の上には、突起部２２が奥行方向Ｄに亘って延在している。図７に示すように、本実施形態においては、突起部２２として、第１の外側突起部２２ａと中央突起部２２ｂと第２の外側突起部２２ｃの３個の突起部２２を設けている。各突起部２２の先端部には、小突起２６が形成されている。各突起部２２の高さ位置は同じである。
【００３１】
図４に示す天井部１０と床板部３と台座部２とが組み合わされた状態を図８に示す。図８に示す組み合わせ状態は、複数の仮設トイレを分解して収容しておく際の収容方法の一例を示すものである。
【００３２】
台座部２の上には床板部３が載置され、台座部２の下には天井部１０が配置されている。加えて、台座部２の上には他の天井部１０が載置されている。すなわち、図８には２個の天井部１０を図示している。ここでは、複数個の仮設トイレユニット１を同時に保管しておく場合を想定している。台座部２の上方に配置された天井部１０は、他の仮設トイレユニット１の天井部１０であり、図示していない他の台座部２の下方に配置されているものである。なお、図３に示すように、台座部２の下方に配置された天井部１０が、他の仮設トイレユニット１の天井部１０であるように台座部２を積み上げてもよい。
【００３３】
天井部１０における長さ方向Ｌのサイズと、台座部２における長さ方向Ｌのサイズは略同一である。天井部１０における奥行方向Ｄのサイズと、台座部２における奥行方向Ｄのサイズは略同一である。台座部２の側壁部１２の下方縁部１５は、天井部１０における上面凸部２１の縁部２１ｂに載置される。なお、天井部１０において突起部２２は、上面凸部２１における奥行方向Ｄの両端で縁部２１ｂの僅かに内側から立ち上がっているものである。したがって、台座部２の長さ方向Ｌにおける下方縁部１５を、天井部１０における上面凸部２１の長さ方向Ｌの縁部２１ｂに載置することができる。
【００３４】
複数の仮設トイレユニット１を分解して収容する際に、台座部２が天井部１０の上に載置されると、天井部１０の突起部２２は、台座部２の便槽底板１７の下に形成された空間内に配されることになる。中央に位置する中央突起部２２ｂの小突起２６の先端と、第１の外側突起部２２ａ及び第２の外側突起部２２ｃにおける各内側の小突起２６の先端は便槽底板１７に接し、底板中央部１７ａを支持している。前述のように、底板中央部１７ａは底板周縁部１７ｂよりも高さ位置が低い。一方、各突起部２２の高さ位置は同じである。したがって、図８に図示した状態においては、第１の外側突起部２２ａ及び第２の外側突起部２２ｃにおける各外側の小突起２６の先端は便槽底板１７に接していない。便槽底板１７が下方に撓んで変形している場合には、第１の外側突起部２２ａ及び第２の外側突起部２２ｃにおける各外側の小突起２６の先端が便槽底板１７に接する場合もある。
【００３５】
図９に床板部３の平面図を示す。床板部３は、略矩形であり、その上面において突出する床板凸部３１を備えている。床板凸部３１によって床板部３に段差３１ａが形成されている。床板部３の裏面には、台座部係合用凹部３６（図８に仮想的に図示）が形成されている。また、床板部３の裏面周縁部３７（図８）は、全周に亘って矩形環状に延ばされた平坦面として構成されている。台座部係合用凹部３６は、台座部２の床板部係合用凸部１６を嵌め込むことができるように構成されている。
【００３６】
床板部３は、便槽１３に連通する連通孔３０を備えている。連通孔３０の縁部３１ｂには、全周にわたって、支持板４を支持する支持板用載置面３３が設けられている。支持板用載置面３３は、連通孔３０の縁部３１ｂの全周に亘って矩形環状に延ばされた平坦面として構成されている。支持板用載置面３３には、支持板４の裏面の周縁部である裏面周縁部４７が着脱可能に載置される。支持板用載置面３３から立ち上がる床板凸部３１の側面３４は、上方に向かうにつれて連通孔３０側に傾くように僅かに傾斜している。
【００３７】
連通孔３０は、床板部３の奥行方向Ｄにおける手前側に偏心して形成され、床板部３の長さ方向Ｌに偏心して形成されている。連通孔３０が長さ方向Ｌに偏心して形成されたことにより、長さ方向Ｌにおける連通孔３０の外側領域は異なるサイズに画定される。広い方の領域に足置き場３２が形成されている。足置き場３２の表面には滑り止めのための複数の凹凸が設けられている。
【００３８】
図１０に支持板４付き便器４４の平面図を示す。図１０に示す支持板４付き便器４４は、簡易水洗用便器である。支持板４は略矩形であり、連通孔３０の縁部３１ｂに設けられた支持板用載置面３３に載置可能なサイズで形成されている。すなわち、支持板４の裏面はその全面にわたって平坦面とされており、裏面周縁部４７が支持板用載置面３３に載置されるようになっている。支持板４の縁部４２の側面４１は底面側に向かって僅かに拡がっている。この縁部４２の側面４１は、支持板４を床板部３に組み付けた際に、床板凸部３１の僅かに傾斜した側面３４と当接して係合するように構成されている。
【００３９】
支持板４の上面４０には、便器４４と水洗作動装置４５が設けられている。便器４４は排泄物を排出する排出孔４６を備えている。排出孔４６は、支持板４を床板部３に載置したときに、床板部３の連通孔３０の上に位置するように設けられている。水洗作動装置４５は、水を蓄えたポリタンク（不図示）にポンプ等の水汲み揚げ手段（不図示）を介して連結されていて、水洗作動装置４５から突出するスイッチ４５ａを踏むことによって、便器４４内に水を流し、排泄物を排出孔４６から便槽１３へ押し流すものである。
【００４０】
次に、図１及び図３を参照して、踏み台部５及び周壁部６について説明する。踏み台部５は、使用者が床板部３の上に登る動作を補助する台である。踏み台部５は、略直方体であり、その内部が中空である。踏み台部５は、その内部に空間を画定する壁部５ｂを備え、上面５ａには滑り止め加工が施されている。踏み台部５の底面には、内部空間に連なる開口が形成されていて、便器４４を使用しないときに、踏み台部５の内部に便器４４を配した状態で、踏み台部５を支持板４に着脱可能に載置することができる。
【００４１】
周壁部６は、トイレの個室空間を画定するものであり、折り畳み可能に構成されている。周壁部６は、使用時においては、図１に示すように略直方体であり、内部に出入り可能とするために、扉７が組み付けられるものである。本実施形態において、扉７は周壁部６の長さ方向Ｌに延びる壁面に組み付けられる。この扉７のラッチ部８は扉７に対して着脱可能である。
【００４２】
周壁部６の壁面は、軽量化のため、内部を中空としたプラスチック製パネルによって構成されている。また、軽量化を図ると共に止水性を高めるため、折り畳み機構として、押出成形によって形成した樹脂ヒンジフレームを採用している。樹脂ヒンジフレームの第１のヒンジ部６ａと第２のヒンジ部６ｂが、周壁部６の奥行方向Ｄに延びる対向する壁面に設けられている。第１のヒンジ部６ａは、上記奥行方向Ｄに延びる壁面の両端部において、その壁面の高さ方向に亘って形成されている。第２のヒンジ部６ｂは、上記奥行方向Ｄに延びる壁面の中央部において、その壁面の高さ方向に亘って形成されている。
【００４３】
第１のヒンジ部６ａと第２のヒンジ部６ｂを図１１に示す。（ａ）図に示す第１のヒンジ部６ａにおいては、外側壁面６１に第１の切れ目６２が設けられている。（ｂ）図に示す第２のヒンジ部６ｂにおいては、内側壁面６４に第２の切れ目６５が設けられている。したがって、図１に示す状態の周壁部６において、奥行方向Ｄに延びる対向する壁面に外側から内側に向かって力が加わると、第１のヒンジ部６ａでは、内側壁面６４における、第１の切れ目６２と対向する位置を支点として上記壁面が内側に移動する。また、第２のヒンジ部６ｂでは、外側壁面６１における、第２の切れ目６５と対向する位置を支点として上記壁面が内側に折込まれる。したがって、周壁部６は、第１のヒンジ部６ａ及び第２のヒンジ部６ｂを介して、図３に示すように折り畳むことができるものである。周壁部６の奥行方向Ｄに延びる対向する壁面には、両端部に持ち手９が取り付けられている。持ち手９は、周壁部６を持ち運ぶためのものである。
【００４４】
次に、本実施形態に係る仮設トイレユニット１の使用方法について説明する。仮設トイレユニット１は、図３に示すように、使用していないときには、各構成部材に分解されて収容されているものである。図１等を参照しながら、仮設トイレの組み立てについて説明する。まず、台座部２の上に、床板部３を載置し、台座部２の床板部係合用凸部１６（図４）を、床板部３の裏面の台座部係合用凹部３６（図８）に嵌め込む。このとき、上面２ａが床板部３の裏面周縁部３７の全周に亘って当接することにより、台座部２が床板部３を支持する。これにより、床板部３が台座部２に取り付けられる。このように、床板部３を台座部２に載置するだけで、締結具、接着具等の固定具を別途用いることなく、床板部３を台座部２に容易に取り付けることができる。
【００４５】
次いで、支持板４付き便器４４の支持板４を床板部３に取り付ける。すなわち、支持板４の裏面周縁部４７が連通孔３０の縁部３１ｂに形成された支持板用載置面３３（図９）上に載置される。このとき、支持板用載置面３３が支持板４の裏面周縁部４７の全周に亘って当接することにより、床板部３が支持板４を支持する。床板部３に締結具、接着具等の固定具を別途用いることなく、支持板４に設けられた便器４を床板部３に取り付けられる。このように、支持板４を床板部３に載置するだけで、支持板４を床板部３に容易に取り付けることができる。
【００４６】
加えて、支持板４が連通孔３０の縁部３１ｂに形成された支持板用載置面３３（図９）に当接することから、支持板用載置面３３によって支持板４が確実に支持されると共に、連通孔３０からの排泄物の臭気漏れを防止することができる。また、支持板４を床板部３に載置した際、支持板４の縁部４２の側面４１（図１０）は、床板凸部３１の僅かに傾斜した側面３４と当接して係合する。したがって、台座部２に対して支持板４をより安定させて設置することができる。
【００４７】
また、連通孔３０が床板部３の奥行方向Ｄにおける手前側に偏心して形成されているため、便器４４を床板部３の上に取り付ける際に、支持板４付き便器４４の移動距離を短くすることができる。したがって、特に支持板４付き便器４４の重量が重い場合に、組み付け作業の負担が軽減される。
【００４８】
加えて、便器４４が支持板４の奥行方向Ｄにおける奥側に偏心して配置され、支持板４が床板部３に載置された状態において、便器４４が奥行方向Ｄの中央に配されるようになっていることから、使用者が便器を使用し易い。また、連通孔３０は、床板部３の長さ方向Ｌに偏心して形成されているため、使用者の足置き場３２を広くすることができる。
【００４９】
周壁部６は、図３に示す折り畳まれた状態から、第１のヒンジ部６ａ及び第２のヒンジ部６ｂを介して、図１に示す略直方体形状に拡げられる。扉７は予め周壁部６に取り付けた状態で保管等しておいてもよいし、設置現場で周壁部６に取り付けてもよい。なお、扉７のラッチ部８は、扉７に対して着脱可能である。仮設トイレユニット１を分解した状態で保管等する際に、ラッチ部８が突出した形状を備える場合には特に、ラッチ部８を扉７から取り外しておくことが望ましい。折り畳んだ状態の複数の周壁部６を重ねて保管する際に、占有体積を減少させることができるからである。
【００５０】
周壁部６は、床板部３の上に載置される。このとき、周壁部６の下端６７（（図１）が、床板部３の上面に、床板凸部３１が周壁部６の内側に位置するように載置される。床板凸部３１によって形成された段差３１ａ（図９）によって、何らかの衝撃で周壁部６が内側に折り畳まれてしまうというアクシデントを防止することができる。
【００５１】
周壁部６の上端６８（図１）には天井部１０が載置される。天井部１０の裏面に形成された周壁部係合用凹部２０ａ（図７）に周壁部６の上端６８が嵌め込まれることによって、トイレ個室の天井が形成される。
【００５２】
台座部２は最下層に位置するが、フランジ部１８を備えるため、フランジ部１８によって便器ユニット、周壁部及び天井部の荷重を支えることができる。したがって、フランジ部１８によって仮設トイレ全体の荷重を安定して支えることができる。踏み台部５は扉７の下に設置する。これにより、図２に示すような仮設トイレが完成する。
【００５３】
仮設トイレを撤去する際には、図３に示すように、仮設トイレユニット１を構成する各構成部材に分解すればよい。天井部１０を周壁部６から取り外し、周壁部６を折り畳んで収容することができる。前述にように、床板部３は台座部２に載置されているだけであるから、床板部３を台座部２から容易に取り外すことができる。また、支持板４は床板部３に載置されているだけであるから、支持板４付き便器４４を床板部３から容易に取り外すことができる。
【００５４】
台座部２を積み重ねて収容する場合には、台座部２の下に天井部１０を配置した状態で積み重ねてもよい。このとき、天井部１０の突起部２２によって便槽１３の底が支持されるため、荷重によって便槽１３が変形することを防止できる。なお、図３に示すように、最上層の台座部２の上に天井部１０を被せるように積み上げてもよい。この場合、床板部３の連通孔３０から便槽１３内に埃等が入ってしまうことを防止できる。また、排泄物回収の前に台座部２を一時的に保管しておく場合には、排泄物又は排泄物の臭気が連通孔３０から漏れることを防ぐことができる。
【００５５】
図７及び図８を参照して前述したように、仮設トイレユニット１では、天井部１０の突起部２２が便槽底板１７に当接することによって、便槽１３を支持することができる。そのため、台座部２にかかる荷重を分散することができる。したがって、積み重ねられた複数の部材の荷重によって生じ得る台座部２の変形、特に便槽１３の変形を防止できる。また、台座部２を積み重ねずに保管する場合であっても、天井部１０を台座部２の底面側に配置して収容しておくことによって、便槽１３が自重によって変形することを防ぐことができる。
【００５６】
台座部２の下方縁部１５には、長さ方向の側壁部１２、すなわち、長辺側の側壁部１２に凹部１４が形成されている。例えば、台座部２の短辺側の側壁１２が隣合うように、フォークリフトで複数の台座部２を並置する場合、上記凹部１４は露出した長辺側の側壁に形成されているため、フォーク爪を上記凹部１４に挿入して台座部２を持ち上げ、複数の台座部２を長さ方向に効率良く設置又は撤去することができる。加えて、凹部１４は対向する一組の側壁部１２に設けられている。したがって、例えば、フォークリフトのフォーク爪を第１の凹部１４ａ及び対向する第２の凹部１４ｂに貫通させて挿入し、台座部２を持ち上げることができる。
【００５７】
また、複数の台座部２が奥行方向Ｄに並置されている場合、各台座部２の凹部１４の位置が揃うため、並置された複数の台座部２の第１の凹部１４ａ及び対向する第２の凹部１４ｂに、フォーク爪を貫通させて挿入することができ、並置した複数の台座部２を一度に持ち上げて移動させることが可能である。
【００５８】
支持板４付き便器４４は、図３に示すように、踏み台部５の内部に収納しておくことができる。したがって、踏み台部５によって便器４４を保護することができる。周壁部６は折り畳むことができるため、複数の周壁部６を積み重ねたり、重ねて立て掛けたりして収容等することができる。
【００５９】
以上のように、本実施形態に係る組み立て式仮設トイレユニット１及び便器ユニットは、容易に設置及び撤去することができる。
【００６０】
以上、本考案の実施形態について述べたが、本考案は既述の実施形態に限定されるものではなく、各種の変形及び変更が可能である。例えば、上記実施形態に係る仮設トイレユニット１において台座部２の下方縁部１５には、凹部１４が設けられているがこれに限定されず、台座部２の下方縁部１５に凹部１４を形成しなくてもよい。この場合、台座部２における下方縁部１５の全周で、台座部２に加わる荷重を支えることができる。
【００６１】
上記実施形態に係る仮設トイレユニット１は、一例としてプラスチック製であるが、これに限定されず、他の素材によって形成してもよい。また、さらなる軽量化を図るために中空構造板を使用してもよいし、強度を高めるためにＦＲＰ（繊維強化プラスチック）を使用してもよい。上記実施形態に係る仮設トイレユニット１は、周壁部６に着脱可能なトイレットペーパーホルダー及び照明等のトイレ備品をさらに備えていてもよい。
【００６２】
上記実施形態に係る仮設トイレユニット１では、簡易水洗式便器４４を採用しているが、これに限定されない。例えば、汲み取り式便器を用いてもよい。また、上記実施形態に係る仮設トイレユニット１では、支持板４付き便器４４は床板部３に着脱可能である。したがって、例えば、上記実施形態に係る支持板４付き簡易水洗式便器４４に加えて、支持板４付き汲み取り式便器を備え、これらの便器を択一的に使用するように構成してもよい。この場合、災害時において、インフラの復旧に合わせて、汲み取り式便器から簡易水洗式便器４４に取り換えて使用することができる。一例として、上記実施形態に係る仮設トイレユニット１を災害時の避難所で使用するときには、汲み取り式便器を取り付けた汲み取り式トイレとして設置し、インフラがある程度復旧した仮設住宅で使用するときには、簡易水洗式便器４４を取り付けた簡易水洗式トイレとして設置することができる。
【００６３】
前述のように、仮設トイレユニット１の便器４４は、床板部３に着脱可能な支持板４を介して、締結具、接着具等の固定具を別途用いることなく、床板部３に取り付け及び取り外しすることができる。したがって、便器４４の交換作業を容易に行うことができる。
【００６４】
台座部２と床板部３、床板部３と支持板４付き便器４４、周壁部６と床板部３、天井部１０と周壁部６又は床板部３の係合における各係合機構は、前述したものに限定されない。
【００６５】
上記実施形態では、天井部１０を周壁部６の上端６８に載置するように形成しているがこれに限定されない。例えば、天井部１０は、周壁部６の上方において、周壁部６の内側に組み付けられるものであってもよい。上記実施形態では、台座部２を周壁部６の下に配置するように構成しているが、これに限定されない。例えば、周壁部６の下端６７が台座部２の下端と共に地面等のトイレ設置面に接し、周壁部６が台座部２を囲んで組み付けられるように構成してもよい。この場合、台座部２は、周壁部６の内側において周壁部６の下方に設けられていることになる。
【００６６】
上記実施形態においては、踏み台部５の内部に便器４４を配した状態で、踏み台部５を支持板４に載置して、踏み台部５と支持板４付き便器４４を収容しているが、これに限定されない。例えば、踏み台部５を便器４４に被せて、踏み台部５の内部に便器４４を配し、支持板４と踏み台部５の間にクリアランスが存在している状態で、踏み台部５と支持板４付き便器４４を収容してもよい。
【符号の説明】
【００６７】
１    組み立て式仮設トイレユニット
２    台座部
２ａ  台座部の上面（床板部用載置面）
３    床板部
４    支持板
５    踏み台部
６    周壁部
１０  天井部
１３  便槽
１８  フランジ部
３０  連通孔
３３  支持板用載置面
４４  便器
【図１】
0003183434.tif 000003
【図２】
0003183434.tif 000004
【図３】
0003183434.tif 000005
【図４】
0003183434.tif 000006
【図５】
0003183434.tif 000007
【図６】
0003183434.tif 000008
【図７】
0003183434.tif 000009
【図８】
0003183434.tif 000010
【図９】
0003183434.tif 000011
【図１０】
0003183434.tif 000012
【図１１】
0003183434.tif 000013